(57)【要約】【課題】  診断や診療環境において、その環境を簡素化しながら医療に関するデータを、簡易的な操作により容易に取得、表示することが可能な配信画像表示システムを提供する。【解決手段】  入力装置２、３と表示装置１とを具備する配信画像表示システムを用いる。入力装置２、３は、認証情報と診断結果識別情報とを入力可能である。ただし、その認証情報はユーザを識別する情報である。その診断結果識別情報は診断結果を示す診断結果データを識別する情報である。表示装置１は、入力装置２、３から受信した認証情報と診断結果識別情報とに基づいて、診断結果データを管理するサーバ５から、ネットワーク８を介して、診断結果識別情報で識別される診断結果データを取得して表示する。【選択図】      図１
2006178805.tif 000002
【特許請求の範囲】
【請求項１】
認証情報と診断結果識別情報とを入力可能な入力装置と、
前記認証情報はユーザを識別し、前記診断結果識別情報は診断結果を示す診断結果データを識別し、
前記入力装置から受信した前記認証情報と前記診断結果識別情報とに基づいて、前記診断結果データを管理するサーバから、ネットワークを介して、前記診断結果識別情報で識別される前記診断結果データを取得して表示する表示装置と
を具備する
配信画像表示システム。
【請求項２】
請求項１に記載の配信画像表示システムにおいて、
前記入力装置は、
前記認証情報と前記診断結果識別情報とを入力可能な第１入力部と、
入力された前記認証情報と前記診断結果識別情報とを前記表示装置へ出力する第１通信部と
を備え、
前記表示装置は、
前記認証情報と前記診断結果識別情報とを受信する第２通信部と、
受信された前記認証情報と前記診断結果識別情報とに基づいて、前記サーバから前記診断結果識別情報で識別される前記診断結果データを取得する制御部と、
取得された前記診断結果データを表示する表示部と
を備える
配信画像表示システム。
【請求項３】
請求項２に記載の配信画像表示システムにおいて、
前記入力装置は、前記表示部に表示された前記診断結果データ上に描画可能な第２入力部を備える
配信画像表示システム。
【請求項４】
請求項２のいずれか一項に記載の配信画像表示システムにおいて、
前記入力装置は、磁気カード又はＩＣカードを読み取り可能な読取装置を含む
配信画像表示システム。
【請求項５】
（ａ）入力装置が、認証情報と診断結果識別情報とを受信するステップと、
ここで、前記認証情報はユーザを識別し、前記診断結果識別情報は診断結果を示す診断結果データを識別し、
（ｂ）前記入力装置が、受信された前記認証情報と前記診断結果識別情報とを表示装置へ出力するステップと、
（ｃ）前記表示装置が、前記入力装置から受信された前記認証情報と前記診断結果識別情報とに基づいて、前記診断結果データを管理するサーバへ、ネットワークを介して、前記診断結果識別情報で識別される前記診断結果データを要求するステップと、
（ｄ）前記表示装置が、前記サーバから取得された前記診断結果データを表示するステップと
を具備する
配信画像表示方法。
【請求項６】
請求項５に記載の配信画像表示方法において、
（ｅ）前記入力装置が、描画情報を受信するステップと、
（ｆ）前記入力装置が、受信された前記描画情報を前記表示装置へ出力するステップと、
（ｇ）前記表示装置が、表示された前記診断結果データ上に前記描画情報に対応する描画を行うステップと
を更に具備する
配信画像表示方法。
【請求項７】
請求項５又は６に記載の配信画像表示方法において、
前記（ａ）ステップは、
（ａ１）前記認証情報を格納する磁気カード又はＩＣカードから前記認証情報を読み取るステップを備える
配信画像表示方法。
【請求項８】
請求項５乃至７のいずれか一項に記載の配信画像表示方法において、
前記（ａ）ステップは、
（ａ２）前記診断結果識別情報を格納する磁気カード又はＩＣカードから前記診断結果識別情報を読み取るステップを備える
配信画像表示方法。
【発明の詳細な説明】
【技術分野】
【０００１】
本発明は、配信画像表示システム及び配信画像表示方法に関し、特に医療環境において用いる配信画像表示システム及び配信画像表示方法に関する。
【背景技術】
【０００２】
現在、医療環境において画像や映像、カルテのような医療に関するデータのデジタル化が進んでいる。デジタル化されたデータは、様々なソフトウエアやシステムによって処理、保存、再生が可能である。診断や診療現場では、従来型のＰＣ（パーソナルコンピュータ）をセットすれば、それらのデータを再生することが可能である。しかし、従来型のＰＣは、ＰＣ本体、液晶ディスプレイのような表示装置、キーボード及びマウスのような入力装置、それらをつなぐ複数の配線が最低限必要である。また、Ｘ線診断装置を用いた診断では、診断写真等としてフィルムが未だ用いられている。この診断に不可欠なものとして、シャウカステンのような読影用の機器がある。
【０００３】
このように、少なくとも現在の診断、診療環境をデジタル化し、簡素化を計ろうとした場合でも、上記ＰＣ及び読影用の機器と簡単な診察器具が最低必要となる。そのため、一般的な事務机にセットした場合でも、その机上の大部分をこれらの機器に占領されてしまう。また、診断や診療時には、その都度キーボード操作を余儀なくされる。デジタル化の進展において、これらの状況を改善する技術が望まれている。
【０００４】
関連する技術として、特開２００４−２３６８０５号公報に画像表示装置の技術が開示されている。画像表示パネルと、接続手段と、表示手段と、保存手段とを有する。画像表示パネルは、デジタイザを有する。接続手段は、医療施設に構築される診察に利用される画像を通信するネットワークに無線接続する。表示手段は、前記接続手段が無線接続したネットワークから画像を取得して、前記画像表示パネルに表示する。保存手段は、前記画像表示パネルのデジタイザを用いた書き込みを行われた際に、この書き込みを原画像とは別の画像として保存する。
【０００５】
関連する技術として特開２００４−２３６８０４号公報に画像表示装置の技術が開示されている。この画像表示装置は、ＴＶ接続手段と、選択手段と、画像表示手段とを有する。ＬＡＮ接続手段は、診察に利用される情報を通信し、医療施設内に形成されるＬＡＮと接続する。ＴＶ接続手段は、テレビ回線と接続する。選択手段は、前記ＬＡＮとの接続とテレビ回線との接続とを選択する。画像表示手段は、前記ＬＡＮから供給された情報、および、前記テレビ回線で供給されたテレビ画像を表示する。
【０００６】
【特許文献１】特開２００４−２３６８０５号
【特許文献２】特開２００４−２３６８０４号
【発明の開示】
【発明が解決しようとする課題】
【０００７】
従って、本発明の目的は、、診断や診療環境において、その環境を簡素化しながら医療に関するデータを取得、表示することが可能な配信画像表示システム及び配信画像表示方法を提供することにある。
【０００８】
また、本発明の他の目的は、診断や診療環境において、簡易的な操作により医療に関するデータを容易に取得、表示することが可能な配信画像表示システム及び配信画像表示方法を提供することにある。
【課題を解決するための手段】
【０００９】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１０】
従って、上記課題を解決するために、本発明の配信画像表示システムは、入力装置（２、３）と表示装置（１）とを具備する。入力装置（２、３）は、認証情報と診断結果識別情報とを入力可能である。ただし、その認証情報はユーザを識別する情報である。その診断結果識別情報は診断結果を示す診断結果データを識別する情報である。表示装置（１）は、入力装置（２、３）から受信したその認証情報とその診断結果識別情報とに基づいて、その診断結果データを管理するサーバ（５）から、ネットワーク（８）を介して、その診断結果識別情報で識別されるその診断結果データを取得して表示する。
【００１１】
上記の配信画像表示システムにおいて、入力装置（２、３）は、第１入力部（２１、３１）と第１通信部（２２、３２）とを備えることが好ましい。ここで、第１入力部（２１、３１）は、その認証情報とその診断結果識別情報とを入力可能である。第１通信部（２２、３２）は、入力されたその認証情報とその診断結果識別情報とを表示装置（１）へ出力する。表示装置（１）は、第２通信部（１１）と制御部（１２）と表示部（１３）とを備えることが好ましい。ここで、第２通信部（１１）は、その認証情報とその診断結果識別情報とを受信する。制御部（１２）は、受信されたその認証情報とその診断結果識別情報とに基づいて、サーバ（５）からその診断結果識別情報で識別されるその診断結果データを取得する。表示部（１３）は、取得されたその診断結果データを表示する。
【００１２】
上記の配信画像表示システムにおいて、入力装置（２）は、表示部（１３）に表示されたその診断結果データ上に描画可能な第２入力部（７４）を備えることが好ましい。
【００１３】
上記の配信画像表示システムにおいて、入力装置（３）は、磁気カード又はＩＣカードを読み取り可能な読取装置（８３）を含むことが好ましい。
【００１４】
上記課題を解決するために、本発明の配信画像表示方法は、（ａ）入力装置（２、３）が、認証情報と診断結果識別情報とを受信するステップと、（ｂ）入力装置（２、３）が、受信されたその認証情報とその診断結果識別情報とを表示装置（１）へ出力するステップと、（ｃ）表示装置（１）が、入力装置（２、３）から受信されたその認証情報とその診断結果識別情報とに基づいて、その診断結果データを管理するサーバ（５）へ、ネットワーク（８）を介して、その診断結果識別情報で識別されるその診断結果データを要求するステップと、（ｄ）表示装置（１）が、サーバ（５）から取得されたその診断結果データを表示するステップとを具備する。ここで、その認証情報はユーザを識別する。その診断結果識別情報は診断結果を示す診断結果データを識別する。
【００１５】
上記の配信画像表示方法において、（ｅ）入力装置（２）が、描画情報を受信するステップと、（ｆ）入力装置（２）が、受信されたその描画情報を表示装置（１）へ出力するステップと、（ｇ）表示装置（１）が、表示されたその診断結果データ上にその描画情報に対応する描画を行うステップとを更に具備することが好ましい。
【００１６】
上記の配信画像表示方法において、（ａ）ステップは、（ａ１）その認証情報を格納する磁気カード又はＩＣカードからその認証情報を読み取るステップを備えることが好ましい。
【００１７】
上記の配信画像表示方法において、（ａ）ステップは、（ａ２）その診断結果識別情報を格納する磁気カード又はＩＣカードからその診断結果識別情報を読み取るステップを備えることが好ましい。
【発明の効果】
【００１８】
本発明により、診断や診療環境において、その環境を簡素化しながら医療に関するデータを、簡易的な操作により容易に取得、表示することが可能となる。
【発明を実施するための最良の形態】
【００１９】
以下、本発明の配信画像表示システム及び配信画像表示方法の実施の形態に関して、添付図面を参照して説明する。ここでは、病院において、医者がデータベースに格納された断画像データを閲覧する場合について説明する。
【００２０】
（第１の実施の形態）
まず、本発明の配信画像表示システムの第１の実施の形態の構成について説明する。
図１は、本発明の配信画像表示システムの第１の実施の形態の構成を示すブロック図である。配信画像表示システム１０は、入力装置としてのマウス２と表示装置１とを具備する。入力装置としてカードリーダ３を有していても良い。表示装置１は、病院内のデータ通信用のネットワーク８に接続されている。配信画像表示システム１０は、例えば診療室に配置され、医者が診断の際に診断画像を閲覧するために使用される。
【００２１】
マウス２は、ユーザ（医者等）の入力を表示装置１へ出力する。マウス２は、第１通信部としての通信部２１と入力部２２とを備える。入力部２２は、ユーザにより認証情報と診断結果識別情報とを入力可能な手段である。入力部２２は、表示装置１に対するポインティングデバイスとしての機能も有する。通信部２１は、入力された認証情報と診断結果識別情報とを表示装置１へ出力する手段である。各部は、ハードウエア、プログラム、又は、ハードウエア及びプログラムで実現される。
【００２２】
カードリーダ３は、ユーザの入力を表示装置１へ出力する。カードリーダ３は、通信部３１と入力部３２とを備える。入力部３２は、ユーザの認証情報を格納したカード（例示：ＩＤカード）や、診断結果識別情報に関連する情報（例示：患者の識別番号）を格納したカード（例示：診察券）を情報を読み取り可能な手段である。通信部３１は、読み取られた認証情報と診断結果識別情報とを表示装置１へ出力する手段である。各部は、ハードウエア、プログラム、又は、ハードウエア及びプログラムで実現される。
【００２３】
ここで、認証情報は、配信画像表示システムを使用するユーザ（医者等）を識別する。認証情報は、ユーザ（医者等）のＩＤ（ｉｄｅｎｔｉｆｉｃａｔｉｏｎ）番号や氏名のような個人を特定する情報と、パスワードのようなセキュリティに関する情報とに例示される。診断結果識別情報は、診断データベース６に格納された複数の診断結果データのうち、いずれかの診断結果データを識別する。診断結果識別情報は、対象（患者等）のＩＤ（ｉｄｅｎｔｉｆｉｃａｔｉｏｎ）番号や氏名のような個人を特定する情報と、診断機器名や画像種類名や診断年月日のような画像データや文書データを特定する情報とに例示される。診断結果データは、診断の結果を示すデータであり、診断に関わる画像データや文書データに例示される。
【００２４】
表示装置１は、フラットパネルディスプレイに例示される画像表示可能な装置である。病院内のネットワーク８を介してサーバ５に接続されている。マウス２から入力された認証情報と診断結果識別情報とに基づいて、サーバ５を介して診断データベース６から所望の画像データや文書データを取得し、表示する。表示装置１は、第２通信部としての通信部１１と、制御部としての管理部１２と、表示部１３と、通信部１４とを備える。
【００２５】
通信部１１は、マウス２又はカードリーダ３から認証情報と診断結果識別情報とを受信する手段である。
管理部１２は、認証情報と診断結果識別情報とに基づいて、ネットワーク８を介して接続されたサーバ５へ診断結果識別情報に対応する診断結果データを要求し、サーバ５から診断結果識別情報に対応する診断結果データ（画像データや文書データなど）を取得する手段である。
通信部１４は、表示装置１がネットワーク８を介した通信を行う手段である。
表示部１３は、取得された画像データや文書データを表示し、マウス２のポインタを表示する手段である。
各部は、ハードウエア、プログラム、又は、ハードウエア及びプログラムで実現される。
【００２６】
サーバ５は、ワークステーションやパーソナルコンピュータ（ＰＣ）に例示される情報処理装置である。診断データベース６を管理し、表示装置１からの要求に基づいて所望の画像データや文書データを診断データベース６から検索し、表示装置１へ送信する。サーバ５は、管理部５２と通信部５１とを備える。
【００２７】
管理部５２は、表示装置１からの認証情報及び診断結果識別情報に基づいて、ユーザの認証を行い、診断結果識別情報に対応した画像データや文書データを診断データベース６から取得し、取得した画像データや文書データを表示装置１へ送信する。通信部１４は、サーバ５がネットワーク８を介した通信を行う手段である。各部は、ハードウエア、プログラム、又は、ハードウエア及びプログラムで実現される。
【００２８】
管理部５２によるユーザの認証は、例えば、個人を特定する情報とセキュリティに関する情報とを関連付けて格納するデータベース（図示されず）のデータと、入力された認証情報とを比較して行う。認証に失敗すれば、その旨を表示装置１へ返信する。
【００２９】
サーバ５及びそのプログラムは、従来知られた画像ファイリングシステム、電子カルテシステムを用いることができる。そして、表示装置１からの要求に対して、要求に対応する検索を実行し、検査結果としての診断結果データを出力するアプリケーションサーバ的な機能を有している。
【００３０】
診断データベース６は、診断結果データと診断結果識別情報とを関連付けて格納している。診断結果データにおける画像データは、Ｘ線撮影装置、ＣＴ装置、ＭＲＩ装置、ＰＥＴ装置のような医療用診断装置によって得られた診断画像のデータに例示される。診断結果データにおける文書データは、電子カルテに例示される。診断データベース６は、データベースサーバとして独立に存在し、ネットワーク８を介してサーバ５に接続されていても良い。
【００３１】
図２は、本発明の配信画像表示システムの第１の実施の形態における表示装置１のハードウエア構成を示す図である。表示装置１は、通信部６１、通信部６４、ＣＰＵ６２、メモリ６６、表示制御部６７、モニタ６８を備える。それらは、バス６９で互いに接続されている。
【００３２】
通信部６１は、マウス２又はカードリーダ３と無線で通信可能に接続されている。通信部６１は、マウス２等からの赤外線による通信を受信可能なセンサと、受信された赤外線を電気信号に変換する回路とを含む通信カードや通信ポートに例示される。無線接続なので、ケーブルの占有する面積をなくすことができる。図１の通信部１１は、通信部６１を含んでいる。通信部６１は、有線で接続されていても良い。
【００３３】
通信部６４は、ネットワーク８と有線又は無線で接続されている。ネットワーク８を介してサーバ５と通信する。通信カードや通信ポートに例示される。図１の通信部１４は、通信部６４を含む。
【００３４】
メモリ６６は、通信部１１、管理部１２、表示部１３及び通信部１４におけるプログラムを格納している。ＲＡＭやＲＯＭ、ハードディスクに例示される。図１の通信部１１、管理部１２、表示部１３及び通信部１４は、メモリ６６を含む。また、通信部６１の受信した認証情報や診断結果識別情報を一時的に保存する。通信部６４の受信した診断結果データを一時的に保存しても良い。
【００３５】
表示制御部６７は、通信部６４の受信した診断結果データを一時的に保存する。モニタ６８を制御して、モニタ６８にその診断結果データを表示する。加えて、マウス２のポインタをモニタ６８上に表示し、ポインタを用いた描画動作、データ処理を行う。図１の表示部１３は、表示制御部６７とモニタ６８とを含む。
【００３６】
モニタ６８は、液晶ディスプレイパネルのようなフラットパネルディスプレイが好ましい。占有面積を小さくできるからである。デジタイザ機能を有していても良い。モニタ６８は、表示制御部６７の制御により、取得した診断結果データ（診断画像データや電子カルテ）を表示する。加えて、マウス２のポインタやタッチペン（図示されず）などで、表示された診断結果データの上に印をつけるような自由な描画を行わせることができる。
【００３７】
ＣＰＵ６２は、メモリ６６に格納された通信部１１、管理部１２、表示部１３及び通信部１４におけるプログラムを実行し、通信部６１、通信部６４、ＣＰＵ６２、メモリ６６及び表示制御部６７を動作させて、通信部１１、管理部１２、表示部１３及び通信部１４の機能を実現する。
【００３８】
表示装置１は、基本的には、マウス２やカードリーダ３のような入力装置から情報を受信し、サーバ５から診断結果データを受け取り、そのデータを表示する機能に特化している。そのため、モニタ６８以外のハードウエア部分を非常に小さく構成することができる。これにより、表示装置１及びマウス２やカードリーダ３を診断室の机上に設置しても、机上における占有面積を非常に小さくすることができる。
【００３９】
図３は、本発明の配信画像表示システムの第１の実施の形態におけるマウス２のハードウエア構成を示す図である。マウス２は、通信部７１、制御部７２、入力部７３、入力部７４、入力部７５、メモリ７６を備える。それらは、バス７７により互いに接続されている。
【００４０】
通信部７１は、表示装置１の通信部６１と無線で通信可能に接続されている。入力部７３〜７５の入力信号を赤外線に変換して無線送信が可能な出力装置を含む。図１の通信部２１は、通信部７１を含む。通信部７１は、有線で接続されていても良い。
【００４１】
入力部７３は、マウス２のクリックボタン（右ボタン、左ボタン、マウスホイール）に例示される。入力部７４は、マウス２の上部、又は、底部に設けられたトラックボールに例示される。入力部７５は、マウス２の上部に設けられたテンキーやファンクションキーのような入力キーに例示される。図１の入力部２２は、入力部７３、入力部７４、入力部７５を含む。
【００４２】
メモリ７６は、通信部２１、入力部２２におけるプログラムを格納している。ＲＡＭやＲＯＭに例示される。図１の通信部２１、入力部２２は、メモリ７６を含む。マウス２をユーザごとに分配した場合、メモリ７６内に予め認証情報のうちのユーザのＩＤ番号などのユーザを特定する情報を格納しておいても良い。その場合、その情報を入力する手間を省くことができる。
【００４３】
制御部７２は、メモリ７６に格納された通信部２１、入力部２２におけるプログラムを実行し、通信部７１、制御部７２、入力部７３、入力部７４、入力部７５、メモリ７６を動作させて、通信部２１、入力部２２の機能を実現する。制御部７２は、ＣＰＵに例示される。
【００４４】
マウス２は、その上部にテンキーのような入力キーを有しているので、キーボードのような占有面積の大きな装置を用いることなく所定の情報（データ）を表示装置１へ入力することが可能となる。これにより、配信画像表示システムを診断室の机上に設置しても、机上における占有面積を非常に小さくすることができる。
【００４５】
図４は、本発明の配信画像表示システムの第１の実施の形態におけるカードリーダ３のハードウエア構成を示す図である。カードリーダ３は、通信部８１、制御部８２、リーダ８３、メモリ８６を備える。それらは、互いにバス８７で接続されている。
【００４６】
通信部８１は、表示装置１の通信部６１と無線で通信可能に接続されている。リーダ８３の入力信号を赤外線に変換して無線送信が可能な出力装置を含む。図１の通信部３１は、通信部８１を含む。通信部８１は、有線で接続されていても良い。
【００４７】
リーダ８３は、磁気カードや非接触ＩＣカード（ＲＦＩＤカード）などに記録されたデータを読み出し可能なリーダに例示される。図１の入力部３２は、リーダ８３を含む。
【００４８】
メモリ８６は、通信部３１、リーダ８３におけるプログラムを格納している。ＲＡＭやＲＯＭに例示される。図１の通信部３１、リーダ８３は、メモリ８６を含む。
【００４９】
制御部８２は、メモリ８６に格納された通信部３１、リーダ８３におけるプログラムを実行し、通信部８１、制御部８２、リーダ８３、メモリ８６を動作させて、通信部３１、リーダ８３の機能を実現する。制御部８２は、ＣＰＵに例示される。
【００５０】
カードリーダ３は、入力キーがいらないので、その入力を容易に実行することができる。これにより、配信画像表示システムを診断室の机上に設置しても、机上における占有面積を非常に小さくすることができる。
【００５１】
次に、本発明の配信画像表示方法の第１の実施の形態（配信画像表示システムの動作）について説明する。
図５は、本発明の配信画像表示方法の第１の実施の形態の動作を示すフロー図である。
【００５２】
（１）ステップＳ０１：
入力装置としてのマウス２の入力部２２が、ユーザ（医者等）による起動用の入力を受信する。起動用の入力は、例えば、ユーザがマウス２の入力部７５（例示：テンキー）のいずれかを押すことで受信される。
（２）ステップＳ０２：
入力部２２は、起動用の入力に基づいて、起動信号を生成する。そして、入力部２２は、通信部２１を介して起動信号を表示装置１へ出力する。
（３）ステップＳ０３：
表示装置１の管理部１２は、所定のアクセス画面を表示する。所定のアクセス画面は、認証情報と診断結果識別情報との入力を促す画面に例示される。
（４）ステップＳ０４：
マウス２の入力部２２が、ユーザ（医者等）の入力した認証情報と診断結果識別情報とを受信する。認証情報と診断結果識別情報の入力は、例えば、マウス２の入力部７５（例示：テンキーによる数字、シフトキー＋テンキーによる英文字）で、所望のキーを押すことで受信される。なお、マウス２の中に、認証情報のうちのユーザを特定する情報を格納している場合には、パスワードのようなセキュリティに関する情報のみを認証情報として入力するようにしても良い。
カードリーダ３を用いる場合には、認証情報としてユーザのＩＤカード、診断結果識別情報として患者の診察券をリーダ８３に通す。その場合、パスワードのようなセキュリティに関する情報は、マウス２から入力する。
（５）ステップＳ０５：
入力部２２は、入力された認証情報と診断結果識別情報とを、通信部２１を介して表示装置１へ出力する。
（６）ステップＳ０６：
表示装置１の管理部１２は、通信部１１を介して認証情報と診断結果識別情報とを受信する。そして、通信部１４を介してサーバ５へ認証情報と診断結果識別情報と出力する。
（７）ステップＳ０７：
サーバ５の管理部５２は、通信部５１を介して受信した認証情報と診断結果識別情報とに基づいて、診断データベース６から第１診断結果データを取得する。そして、通信部５１を介して、取得した第１診断結果データを表示装置１へ送信する。
（８）ステップＳ０８：
表示装置１の管理部１２は、通信部１４を介して第１診断結果データを受信する。表示部１３は、取得した第１診断結果データを表示する。
【００５３】
このような動作により、配信画像表示方法を実行することができる。
【００５４】
ここでは、例えば、認証情報としてユーザのＩＤ番号及びパスワード、診断結果識別情報として患者ＩＤ番号及び診断装置を用いることができるが、サーバ５の管理部５２（画像ファイリングソフト）の種類により、管理部５２の要求に適合するよううに認証情報や診断結果識別情報は、適宜変更して用いることができる。
【００５５】
ここでは、入力装置としてマウス２やカードリーダ３を用いているが、他の通信機器を用いることも可能である。例えば、赤外線の通信機能つきの携帯電話や、赤外線の通信機能つきのＰＤＡ（Ｐｅｒｓｏｎａｌ  Ｄｉｇｉｔａｌ  Ａｓｓｉｓｔａｎｔ）、赤外線の通信機能つきのＰＨＳ（Ｐｅｒｓｏｎａｌ  Ｈａｎｄｙｐｈｏｎｅ  Ｓｙｓｔｅｍ）、赤外線の通信機能つきのノートパソコンである。
【００５６】
本発明により、診断や診療環境において、機器の削減によりその環境を簡素化しつつ、医療に関するデータを取得、表示することが可能となる。ユーザの操作を減らして、簡易的な操作により医療に関するデータを容易に取得、表示すること可能となる。
【００５７】
（第２の実施の形態）
まず、本発明の配信画像表示システムの第２の実施の形態の構成について説明する。
図６は、本発明の配信画像表示システムの第２の実施の形態の構成を示すブロック図である。配信画像表示システム１０ａは、入力装置としてのマウス２と表示装置１ａとを具備する。入力装置としてカードリーダ３を有していても良い。これらは、病院内のネットワーク８に接続されている。そして、例えば診療室に配置され、医者が診断の際に診断画像を閲覧するために使用される。
【００５８】
本実施の形態は、診断結果データを表示装置１ａで取り扱う際、診断結果識別情報に基づいて表示装置１ａがその診断結果データに最適な管理部１２を選択し、用いる点で、第１の実施の形態と異なる。この場合、最適な管理部を用いるのでその診断結果データをより適切に表示できる。
【００５９】
マウス２、カードリーダ３は、第１の実施の形態と同様であるのでその説明を省略する。
【００６０】
表示装置１ａは、フラットパネルディスプレイに例示される画像表示可能な装置である。病院内のネットワーク８を介してサーバ５に接続されている。マウス２から入力された認証情報と診断結果識別情報とに基づいて、診断結果データの種類を特定する。そして、その種類に対応した管理部１２−ｉ（ｉ＝１〜ｎのいずれか：ｎは自然数）を用いて、サーバ５を介して診断データベース６から所望の画像データや文書データを取得し、表示する。表示装置１ａは、第２通信部としての通信部１１と、制御部としての管理部１２−１〜１２−ｎと、表示部１３と、通信部１４と、判定部１５備える。
【００６１】
判定部１５は、マウス２又はカードリーダ３から受信した診断結果識別情報に基づいて、求められている診断結果データの種類を特定し、その特定された種類に対応する管理部１２−ｉ（ｉ＝１〜ｎのいずれか：ｎは自然数）に認証情報と診断結果識別情報とを受け渡す手段である。
管理部１２−１〜１２−ｎの各々は、認証情報と診断結果識別情報とに基づいて、ネットワーク８を介して接続された診断データベース６から診断結果識別情報に対応する画像データや文書データを取得する手段である。管理部１２−１〜１２−ｎは、診断結果データの複数の種類のいずれかに対応している。
【００６２】
判定部１５による判定方法としては、例えば、診断識別結果情報と管理部１２−１〜１２−ｎとを対応付けたテーブル（図示されず）を参照して行う。そのテーブルは、表示装置１ａのメモリ６６に格納されている。
【００６３】
通信部１１、表示部１３、通信部１４は、第１の実施の形態と同様であるのでその説明を省略する。
【００６４】
サーバ５、診断データベース６は、第１の実施の形態と同様であるのでその説明を省略する。
【００６５】
図２〜図４に示す表示装置１ａ、マウス２、カードリーダ３のハードウエア構成については、メモリ６６が更に管理部１２−１〜１２−ｎ及び判定部１５におけるプログラムを格納し、ＣＰＵ６２が更に管理部１２−１〜１２−ｎ及び判定部１５におけるプログラムを実行する他は、第１の実施の形態と同様であるのでその説明を省略する。
【００６６】
次に、本発明の配信画像表示方法の第２の実施の形態（配信画像表示システムの動作）について説明する。
図７は、本発明の配信画像表示方法の第２の実施の形態の動作を示すフロー図である。
【００６７】
入力装置としてのマウス２の入力部２２が、ユーザ（医者等）による起動用の入力を受信する。起動用の入力は、例えば、ユーザがマウス２の入力部７５（例示：テンキー）のいずれかを押すことで受信される。
入力部２２は、起動用の入力に基づいて、起動信号を生成する。そして、入力部２２は、通信部２１を介して起動信号を表示装置１へ出力する。
表示装置１の管理部１２は、所定のアクセス画面を表示する。所定のアクセス画面は、認証情報と診断結果識別情報との入力を促す画面に例示される。
（１）ステップＳ２１：
マウス２の入力部２２が、ユーザ（医者等）の入力した認証情報と診断結果識別情報とを受信する。認証情報と診断結果識別情報の入力は、例えば、マウス２の入力部７５（例示：テンキーによる数字、シフトキー＋テンキーによる英文字）を押すことで受信される。
（２）ステップＳ２２：
入力部２２は、入力された認証情報と診断結果識別情報とを、通信部２１を介して表示装置１ａへ出力する。
（３）ステップＳ２３：
表示装置１ａの管理部１２は、通信部１１を介して認証情報と診断結果識別情報とを受信する。表示装置１ａの判定部１５は、診断結果識別情報に基づいて、求められている診断結果データの種類を判定（特定）する。
（４）ステップＳ２４：
判定部１５は、その特定された種類に対応する管理部１２−ｉ（ｉ＝１〜ｎのいずれか：ｎは自然数）を起動する。そして、その管理部１２−ｉに認証情報と診断結果識別情報とを受け渡す。
（５）ステップＳ２５：
管理部１２−ｉは、通信部１４を介してサーバ５へ認証情報と診断結果識別情報と出力する。
（６）ステップＳ２６：
サーバ５の管理部５２は、通信部５１を介して受信した認証情報と診断結果識別情報とに基づいて、診断データベース６から第１診断結果データを取得する。そして、通信部５１を介して、取得した第１診断結果データを表示装置１ａへ送信する。
（７）ステップＳ２７：
表示装置１ａの管理部１２−ｉは、通信部１４を介して第１診断結果データを受信する。表示部１３は、取得した第１診断結果データを表示する。
【００６８】
なお、第１の実施の形態におけるステップＳ０１〜Ｓ０３のようなステップを、ステップＳ２１の前に行っても良い。
【００６９】
本発明により、診断や診療環境において、機器の削減によりその環境を簡素化しつつ、医療に関するデータを取得、表示することが可能となる。診断結果データの種類によらず、ユーザの操作を減らして、簡易的な操作により医療に関するデータを容易に取得、表示すること可能となる。
【００７０】
（第３の実施の形態）
まず、本発明の配信画像表示システムの第３の実施の形態の構成について説明する。
図８は、本発明の配信画像表示システムの第３の実施の形態の構成を示すブロック図である。配信画像表示システム１０ｂは、入力装置としての院内電話用のＰＨＳ（Ｐｅｒｓｏｎａｌ  Ｈａｎｄｙｐｈｏｎｅ  Ｓｙｓｔｅｍ）９５と表示装置１とを具備する。ＰＨＳ９５は、病院内のＰＨＳのネットワーク１００及びサーバ９０を介してデータ通信用のネットワーク８に接続されている。表示装置１は、例えば診療室に配置され、医者が診断の際にＰＨＳ９５を用いて診断画像を閲覧するために使用される。
【００７１】
本実施の形態は、入力装置１がマウス２やカードリーダ３ではなく、ＰＨＳ９５のような携帯端末である点で、第１の実施の形態と異なる。その場合、マウス２やカードリーダ３が手元に無くても表示装置１ｂで診断結果データを閲覧することができる。
【００７２】
ＰＨＳ９５は、ＰＨＳの基地局１０１、ＰＨＳのネットワーク１００、ネットワーク１００とネットワーク８とを媒介するサーバ９０を介して、ユーザ（医者等）の入力をサーバ５へ出力する。ＰＨＳ９５は、通信部９６と入力部９７とを備える。入力部９７は、ユーザにより認証情報と診断結果識別情報とを入力可能な手段である。入力部この場合、認証情報は、ユーザ（医者等）を識別する情報及びセキュリティに関する情報の他に、表示装置１を識別する情報を含む。表示装置１を識別する情報は、表示装置１のＩＤ番号に例示される。通信部９６は、入力された認証情報と診断結果識別情報とをサーバ５宛てに出力する手段である。各部は、ハードウエア、プログラム、又は、ハードウエア及びプログラムで実現される。
【００７３】
表示装置１については、第１の実施の形態と同様であるのでその説明を省略する。
【００７４】
サーバ５、診断データベース６は、第１の実施の形態と同様であるのでその説明を省略する。
【００７５】
図２に示す表示装置１のハードウエア構成については、第１の実施の形態と同様であるのでその説明を省略する。ＰＨＳ９５及びそれに関わるハードウエア構成については、従来知られたものを用いることができる。
【００７６】
ＰＨＳ９５を入力装置として用いることができるので、マウス２やカードリーダ３が無い場所でも、表示装置１の識別番号さえ入力すれば、その表示装置１へ所望の診断結果データを表示させることができる。これにより、表示装置１がある場所であればどこでも所望の診断結果データを表示させることができる。加えて、配信画像表示システムを診断室の机上に設置しても、机上における占有面積を非常に小さくすることができる。
【００７７】
次に、本発明の配信画像表示方法の第３の実施の形態（配信画像表示システムの動作）について説明する。
図９は、本発明の配信画像表示方法の第３の実施の形態の動作を示すフロー図である。
【００７８】
（１）ステップＳ４１：
ＰＨＳ９５の入力部９７が、ユーザ（医者等）の入力した認証情報と診断結果識別情報とを受信する。認証情報と診断結果識別情報の入力は、例えば、ＰＨＳ９５の入力部９７（例示：テンキーによる数字、シフトキー＋テンキーによる英文字）を押すことで受信される。
（２）ステップＳ４２：
入力部９７は、入力された認証情報と診断結果識別情報とを、通信部９６を介してサーバ５宛てに出力する。
（３）ステップＳ４３：
サーバ９０は、ＰＨＳ９５とサーバ５との間の通信を媒介する。
（４）ステップＳ４４：
サーバ５の管理部５２は、通信部５１を介して受信した認証情報と診断結果識別情報とに基づいて、診断データベース６から第１診断結果データを取得する。そして、認証情報に含まれているＩＤ番号が示す表示装置１へ、取得した第１診断結果データを、通信部５１を介して送信する。
（５）ステップＳ４５：
表示装置１の管理部１２は、通信部１４を介して第１診断結果データを受信する。表示部１３は、取得した第１診断結果データを表示する。
【００７９】
このような動作により、配信画像表示方法を実行することができる。
【００８０】
本発明により、診断や診療環境において、機器の削減によりその環境を簡素化しつつ、医療に関するデータを取得、表示することが可能となる。診断結果データを見る場所によらず、ユーザの操作を減らして、簡易的な操作により医療に関するデータを容易に取得、表示すること可能となる。
【図面の簡単な説明】
【００８１】
【図１】図１は、本発明の配信画像表示システムの第１の実施の形態の構成を示すブロック図である。
【図２】図２は、本発明の配信画像表示システムの第１の実施の形態における表示装置１のハードウエア構成を示す図である。
【図３】図３は、本発明の配信画像表示システムの第１の実施の形態におけるマウス２のハードウエア構成を示す図である。
【図４】図４は、本発明の配信画像表示システムの第１の実施の形態におけるカードリーダ３のハードウエア構成を示す図である。
【図５】図５は、本発明の配信画像表示方法の第１の実施の形態の動作を示すフロー図である。
【図６】図６は、本発明の配信画像表示システムの第２の実施の形態の構成を示すブロック図である。
【図７】図７は、本発明の配信画像表示方法の第２の実施の形態の動作を示すフロー図である。
【図８】図８は、本発明の配信画像表示システムの第３の実施の形態の構成を示すブロック図である。
【図９】図９は、本発明の配信画像表示方法の第３の実施の形態の動作を示すフロー図である。
【符号の説明】
【００８２】
１、１ａ    表示装置
２    マウス
３    カードリーダ
５    サーバ
６    診断データベース
８    ネットワーク
１０、１０ａ    配信画像表示システム
１１    通信部
１２、１２−１〜１２−ｎ    管理部
１３    表示部
１４、２１、３１、５１    通信部
１５    判定部
２２、３２    入力部
５２    管理部
６１、６４、７１、８１    通信部
６２    ＣＰＵ
６６、７６、８６    メモリ
６７    表示制御部
６８    モニタ
６９、７７、８７    バス
７２、８２    制御部
７３、７４、７５、    入力部
８３    リーダ
９０    サーバ
９５    ＰＨＳ
９６    通信部
９７    入力部
１００    ネットワーク
１０１    基地局
【図１】
2006178805.tif 000003
【図２】
2006178805.tif 000004
【図３】
2006178805.tif 000005
【図４】
2006178805.tif 000006
【図５】
2006178805.tif 000007
【図６】
2006178805.tif 000008
【図７】
2006178805.tif 000009
【図８】
2006178805.tif 000010
【図９】
2006178805.tif 000011